(57)【要約】【課題】対象物に設けられている非接触タグ型ＩＤデバイスの情報を読み取って会計を行う際の、読み取りのエラーによる誤会計の発生を低減することを目的としている。【解決手段】非接触タグ型ＩＤデバイスの情報を読み取る読取装置と、非接触タグ型ＩＤデバイスが取り付けられている対象物と、を備え、非接触タグ型ＩＤデバイスが取り付けられている対象物には、読取装置により非接触タグ型ＩＤデバイスにより読み取りが行われたか否かを検知し報知する報知部を備えている。【選択図】図１
2013196183.tif 000002
【特許請求の範囲】
【請求項１】
非接触タグ型ＩＤデバイスの情報を読み取る読取装置と、
前記非接触タグ型ＩＤデバイスが取り付けられている対象物と、
を備え、
前記対象物は、
前記読取装置により前記非接触タグ型ＩＤデバイスから情報が読み取られたか否かを報知する報知部を備えている
ことを特徴とする情報読み取りシステム。
【請求項２】
前記報知部は、
前記読取装置により前記非接触タグ型ＩＤデバイスから情報が読み取られる前と、読み取られた後とで、点灯状態を異なるように報知する
ことを特徴とする請求項１に記載の情報読み取りシステム。
【請求項３】
前記報知部は、
前記読取装置により前記非接触タグ型ＩＤデバイスから情報が読み取られる前と、読み取られた後とで、点灯色が異なるように報知する
ことを特徴とする請求項２に記載の情報読み取りシステム。
【請求項４】
前記報知部は、
前記読取装置により前記非接触タグ型ＩＤデバイスから情報が読み取られた後、点灯する
ことを特徴とする請求項２に記載の情報読み取りシステム。
【請求項５】
前記報知部は、
前記読取装置により前記非接触タグ型ＩＤデバイスから情報が読み取られた後、消灯する
ことを特徴とする請求項２に記載の情報読み取りシステム。
【請求項６】
前記読取装置からの搬送波に基づく電流を用いて、充電可能な電源部
を備え
前記報知部は、
前記電源部に充電されている電力を用いて、駆動する
ことを特徴とする請求項１から請求項５のいずれかに記載の情報読み取りシステム。
【発明の詳細な説明】
【技術分野】
【０００１】
本発明は、情報読み取りシステムに関する。
【背景技術】
【０００２】
近年、予め並べられている料理を顧客が選んで飲食する、いわゆるカフェテリア等では、まず顧客が料理の載っている食器を選んでお盆に載せ、飲食前にレジで会計を行う、すなわち前会計が一般的である。このようなカフェテリアにおいて、顧客が飲食物を追加したい場合、顧客は、追加したい飲食物を選び、再度、レジに並び前会計を行う必要があった。
一方、店を出る時に、会計を行う後会計が提案されている。このような後会計では、例えば、食器に無線タグが設けられている。店員は、このように食器に設けられている無線タグの情報を、非接触タグ読み取り装置で読み取って、飲食後に会計を行うシステムが提案されている（例えば、特許文献１参照）。
【先行技術文献】
【特許文献】
【０００３】
【特許文献１】特開２００４−１４５４７０号公報
【発明の概要】
【発明が解決しようとする課題】
【０００４】
しかしながら、特許文献１では、店員が、非接触タグ読み取り装置で食器に設けられている無線タグの情報を読み取るとき、読み取るタイミング等によって読み取りエラーが生じ、読み取り抜けが生じるという問題点があった。
【０００５】
本発明は、上記の事情に鑑み成されたものであって、対象物に設けられている非接触タグ型ＩＤデバイスの情報を読み取る際の読み取り抜けを軽減する情報読み取りシステムを提供することを目的としている。
【課題を解決するための手段】
【０００６】
上記目的を達成するため、本発明の一態様に係る情報読み取りシステムは、非接触タグ型ＩＤデバイスの情報を読み取る読取装置と、前記非接触タグ型ＩＤデバイスが取り付けられている対象物と、を備え、前記対象物は、前記読取装置により前記非接触タグ型ＩＤデバイスから情報が読み取られたか否かを報知する報知部を備えていることを特徴としている。
【０００７】
また、本発明の情報読み取りシステムにおいて、前記報知部は、前記読取装置により前記非接触タグ型ＩＤデバイスから情報が読み取られる前と、読み取られた後とで、点灯状態を異なるように報知するようにしてもよい。
【０００８】
また、本発明の情報読み取りシステムにおいて、前記報知部は、前記読取装置により前記非接触タグ型ＩＤデバイスから情報が読み取られる前と、読み取られた後とで、点灯色が異なるように報知するようにしてもよい。
【０００９】
また、本発明の情報読み取りシステムにおいて、前記報知部は、前記読取装置により前記非接触タグ型ＩＤデバイスから情報が読み取られた後、点灯するようにしてもよい。
【００１０】
また、本発明の情報読み取りシステムにおいて、前記報知部は、前記読取装置により前記非接触タグ型ＩＤデバイスから情報が読み取られた後、消灯するようにしてもよい。
【００１１】
また、本発明の情報読み取りシステムにおいて、前記読取装置からの搬送波に基づく電流を用いて、充電可能な電源部を備え前記報知部は、前記電源部に充電されている電力を用いて、駆動するようにしてもよい。
【発明の効果】
【００１２】
本発明によれば、対象物に設けられている非接触タグ型ＩＤデバイスの情報を読み取る際の読み取り抜けを軽減することができる。
【図面の簡単な説明】
【００１３】
【図１】第１実施形態に係る情報読み取りシステムの概略構成を表すシステム構成図である。
【図２】第１実施形態に係る食器への回路部の取り付けを説明する図である。
【図３】第１実施形態に係るハンディターミナルのブロック図である。
【図４】第１実施形態に係る食器に取り付けられている回路部のブロック図である。
【図５】第１実施形態に係る回路部の記憶部に記憶されている非接触タグ型ＩＤデバイスの情報の一例を説明する図である。
【図６】第１実施形態に係る報知制御部の一例を説明する図である。
【図７】ハンディターミナルまたは初期化装置から送信されるコマンドのフォーマットを説明する図である。
【図８】第１実施形態に係るハンディターミナルと食器に取り付けられている回路部との間で行う処理のシーケンス図である。
【図９】食器の制御部が送信したデータの構成の一例を説明する図である。
【図１０】第１実施形態に係るハンディターミナルの制御部が行う処理のフローチャートである。
【図１１】第１実施形態に係る制御部が行う処理のフローチャートである。
【図１２】第１実施形態に係る初期化装置による報知部の報知状態の初期化のシーケンス図である。
【図１３】第２実施形態に係る食器に取り付けられている回路部のブロック図である。
【図１４】第２実施形態に係る回路部の状態遷移図である。
【図１５】第２実施形態に係るハンディターミナルと食器との間で行う処理のシーケンス図である。
【発明を実施するための形態】
【００１４】
（第１実施形態）
以下、本発明の実施形態について図面を参照しながら説明する。
図１は、本実施形態に係る情報読み取りシステム１の概略構成を表すシステム構成図である。以下、本実施形態において、情報読み取りシステム１を用いる例として、カフェテリアを例に説明する。
図１に示すように、情報読み取りシステム１は、ハンディターミナル（読取装置）１０ａ、１０ｂ、・・・、食器（対象物）２０ａ、・・・、携帯プリンタ３０ａ、３０ｂ、・・・、無線中継機４０、ネットワーク５０、管理装置６０、ＰＯＳレジスタ７０、および初期化装置８０を含んで構成される。なお、ハンディターミナル１０ａ、１０ｂ、・・・を総称して、ハンディターミナル１０と称する。食器２０ａ、・・・を総称して、食器２０と称する。携帯プリンタ３０ａ、３０ｂ、・・・、を総称して、携帯プリンタ３０と称する。なお、食器２０は、例えばプレート、マグカップ、コップ、お椀、どんぶり、小鉢等である。
【００１５】
まず、本実施形態に係るカフェテリアの店舗における顧客と店員とのやりとりと、情報読み取りシステム１が行う処理の概要について説明する。
顧客は、店舗に入店した後、例えば、レストラン内のカウンターに配膳されている、各々料理が盛られている食器の中から、所望の料理が盛られている食器を選ぶ。顧客は、選んだ食器をテーブルへ持って行き、飲食する。顧客は、飲食物を追加したい場合、再び料理が盛られている食器を持ってくるか、または店員に直接注文する。顧客が店員に直接注文する場合は、例えば特別注文料理等を注文する場合である。
飲食後、顧客は、店員に会計処理を要求する。店員は、顧客が飲食した席に行き、ハンディターミナル１０で、食器に取り付けられている非接触タグ型ＩＤデバイスの情報を読み取る。または、顧客は、料理を飲食した食器を、会計コーナーへ持って行く。この場合でも、店員は、ハンディターミナル１０で、食器に取り付けられている非接触タグ型ＩＤデバイスの情報を読み取る。非接触タグ型ＩＤデバイスの情報には、例えば、３００円の「焼き魚」、１５０円の「ライス」、１０００円の「特別注文料理Ａ」などが載っていたことを示す情報である。
ハンディターミナル１０は、非接触タグ型ＩＤデバイスの情報の読み取り完了後、食器２０に取り付けられている報知部の報知状態を変更するように指示するコマンドを食器２０へ送信する。店員は、食器２０の報知部２０６の報知状態が変化したことを確認することで、食器２０の非接触タグ型ＩＤデバイスの情報の読み取り完了したことを確認する。
店員が、ハンディターミナル１０を操作することで、携帯プリンタ３０が、ハンディターミナル１０で読み取った情報に基づいて、会計情報をプリントする。顧客は、会計情報がプリントされた会計用伝票を店舗のＰＯＳレジスタ７０が設置されている会計コーナー等へ持って行く。店員は、会計用伝票に基づいて、会計処理を行う。
なお、非接触タグ型ＩＤデバイスとは、例えば対象物の識別情報が記憶されているＩＣチップと無線アンテナを含むものであり、ＩＤ付き無線タグ、ＮＦＣタグなどを含む。
【００１６】
ハンディターミナル１０は、食器２０、及び携帯プリンタ３０と通信を行う。ハンディターミナル１０は、無線中継機４０を介して管理装置６０と通信を行う。ハンディターミナル１０は、食器２０に設けられている非接触タグ型ＩＤデバイスから、非接触タグ型ＩＤデバイスの情報を読み取る。非接触タグ型ＩＤデバイスの情報には、後述するように、食器２０の識別情報、食器の種類、及びその他の付加情報等が含まれている。食器２０の種類とは、例えば、その食器に載せられる商品の値段、商品の種類、商品名等を含む商品に関する情報である。なお、ハンディターミナル１０は、食器２０から、非接触タグ型ＩＤデバイスの情報を読み取った後、情報を読み取ったことを示す読取完了信号を、食器２０に送信するようにしてもよい。
ハンディターミナル１０は、店員が飲食後の食器２０から非接触タグ型ＩＤデバイスの情報を読み取った後、情報を読み取った食器２０の個数、食器２０毎の非接触タグ型ＩＤデバイスの情報、ハンディターミナル１０の識別情報等を、管理装置６０に送信する。ハンディターミナル１０は、管理装置６０から送信された会計用の伝票番号（飲食データの識別情報（ＩＤ）ともいう）を受信する。ハンディターミナル１０は、受信した会計用の伝票番号を携帯プリンタ３０に送信し、携帯プリンタ３０に会計用の伝票番号をプリントさせる。
なお、ハンディターミナル１０の構成については、後述する。
【００１７】
食器２０には、非接触タグ型ＩＤデバイスの情報が記憶されている回路部２００が取り付けられている。食器２０には、報知部２０６が設けられている。なお、食器２０の構成については、後述する。
携帯プリンタ３０は、ハンディターミナル１０から送信された会計用の伝票番号を印字した会計用伝票をプリントする。なお、携帯プリンタ３０は、会計用伝票に伝票番号を示す情報を、バーコード（１次元、２次元）としてプリントしてもよい。
【００１８】
無線中継機４０は、ハンディターミナル１０から送信された食器２０の個数、食器２０毎の非接触タグ型ＩＤデバイスの情報、ハンディターミナル１０の識別情報等を受信する。無線中継機４０は、受信した食器２０の個数、食器２０毎の非接触タグ型ＩＤデバイスの情報、及びハンディターミナル１０の識別情報等を、ネットワーク５０を介して、管理装置６０に送信する。
ネットワーク５０は、ＬＡＮ（Ｌｏｃａｌ  Ａｒｅａ  Ｎｅｔｗｏｒｋ）等の有線ネットワークである。なお、ネットワークは、無線ネットワークであってもよい。
【００１９】
管理装置６０は、無線中継機４０を介して、食器２０の個数、食器２０毎の非接触タグ型ＩＤデバイスの情報、及びハンディターミナル１０の識別情報等を受信する。管理装置６０は、受信した食器２０の個数、食器２０毎の非接触タグ型ＩＤデバイスの情報に基づいて、合計金額を含む会計情報を生成し、生成した会計情報に関連づけて会計用の伝票番号を生成する。管理装置６０は、生成した会計情報と会計用の伝票番号とを関連づけて保持する。管理装置６０は、生成した会計用の伝票番号を、受信した識別情報を有するハンディターミナル１０に、ネットワーク５０、及び無線中継機４０を介して、送信する。管理装置６０は、ＰＯＳレジスタ７０からの問い合わせに応じて、会計用の伝票番号に対応する会計情報を、ＰＯＳレジスタ７０に送信する。なお、会計用伝票に伝票番号を示す情報がバーコードでプリントされている場合、店員は、ＰＯＳレジスタ７０が備える不図示のバーコードスキャナで、伝票番号を示す情報を読み取るようにしてもよい。
【００２０】
ＰＯＳレジスタ７０は、例えば図示しない表示部とキーボード等の入力部、通信部、プリンタ部等を備えている。ＰＯＳレジスタ７０は、通信部を介してネットワーク５０に接続されている。ＰＯＳレジスタ７０は、店員が入力した会計用の伝票番号を管理装置６０に問い合わせ、管理装置６０からの問い合わせに対する応答である会計情報を受信する。なお、ＰＯＳレジスタ７０は、会計情報に基づく合計金額を表示部に表示する。ＰＯＳレジスタ７０は、店員の操作に応じて、会計情報をプリンタ部にプリントさせる。
【００２１】
初期化装置８０は、無線アンテナ８１、制御部８２を含んで構成される。初期化装置８０の制御部８２は、無線アンテナ８１を介して、食器２０の回路部２００へ搬送波に重畳したコマンドを送信して、回路部２００を初期化する。なお、回路部２００を初期化とは、食器２０の報知部２０６の表示色の切り替え処理、報知部２０６の消灯の処理等である。無線アンテナ８１は、例えば、ダイポールアンテナ、ループアンテナ等である。初期化装置８０は、例えば、食器２０の不図示の洗浄機等に取り付けられていてもよい。
【００２２】
次に、食器２０について説明する。図２は、本実施形態に係る食器２０への回路部２００の取り付けを説明する図である。
図２に示すように、食器２０は、取っ手２４の内側２２に、回路部２００が取り付けられている。また、取っ手２４の内側２２に取り付けた回路部２００を覆うように、蓋２３が取り付けられている。例えば、蓋２３は、取っ手２４の内側の縁に接着されている。
また、食器２０の取っ手２４には、報知部２０６が取り付けられている。報知部２０６は、例えばＬＥＤ（発光ダイオード）である。回路部２００と報知部２０６とは、例えば導線２５を介して接続されている。なお、図２に示した例の取り付け位置は、一例であり、回路部２００および報知部２０６を、他の場所に取り付けるようにしてもよい。
【００２３】
次に、ハンディターミナル１０について説明する。
図３は、本実施形態に係るハンディターミナル１０のブロック図である。図３に示すように、ハンディターミナル１０は、入力部１０１、無線アンテナ１０２、無線回路部１０３、制御部１０４、表示部１０５、記憶部１０６、送信部１０７、アンテナ１０８、受信部１０９、およびブザー部１１０を備えている。
【００２４】
入力部１０１は、例えば、１０キー（数字キー）、スキャン指示キー、終了キー、キャンセルキー、送信指示キー、及びプリント指示キーなどである。
無線アンテナ１０２は、食器２０に取り付けられている回路部２００と通信を行うアンテナである。無線アンテナ１０２は、例えば、ダイポールアンテナ、またはループアンテナ等である。
【００２５】
無線回路部１０３は、搬送波を生成する。搬送波は、例えば、周波数が２．４５［ＧＨｚ］の電波である。無線回路部１０３は、無線アンテナ１０２を介して、制御部１０４が出力したコマンドを搬送波に重畳して、回路部２００へ送信する。ここで、コマンドは、例えば、非接触タグ型ＩＤデバイスの情報の読み取りを指示する読み取りコマンド、報知切り替えコマンド（報知部２０６の点灯を指示する点灯コマンド、報知部２０６の消灯を指示する消灯コマンド、報知部２０６の点灯色の切り替えを指示する報知切り替えコマンド等）である。無線回路部１０３は、無線アンテナ１０２を介して、回路部２００から受信した搬送波から非接触タグ型ＩＤデバイスの情報や応答信号を受信信号として抽出し、抽出した受信信号を制御部１０４に出力する。
【００２６】
制御部１０４は、店員の操作により押された入力部１０１のキーの種類を判別する。制御部１０４は、例えば、スキャン指示キーが押された場合、記憶部１０６に記憶されている非接触タグ型ＩＤデバイスの情報およびカウント数を消去し、さらに「読み取りコマンド」を無線回路部１０３に出力する。制御部１０４は、食器２０から受信した受信信号に含まれている識別情報が、記憶部１０６に未記憶の場合、無線回路部１０３が出力した受信情報に含まれる非接触タグ型ＩＤデバイスの情報を記憶部１０６に記憶する。また制御部１０４は、記憶部１０６に非接触タグ型ＩＤデバイスの情報を記憶させた数をカウントし、カウントした数を、食器２０の個数として表示部１０５に表示させる。
制御部１０４は、非接触タグ型ＩＤデバイスの情報の記憶部１０６への記憶後、記憶させた識別情報を有する食器２０に対して、「報知切り替えコマンド」を、無線回路部１０３、及び無線アンテナ１０２を介して、食器２０に送信する。「報知切り替えコマンド」は、報知部２０６がＬＥＤの場合、点灯コマンドは、「ＬＥＤ  ＯＮコマンド」で、消灯コマンドは、「ＬＥＤ  ＯＦＦコマンド」である。
制御部１０４は、例えば、複数の食器２０の非接触タグ型ＩＤデバイスの情報を読み取る前に、店員が入力部１０１を操作して食器２０の合計個数が入力された場合、入力された合計個数を表示部１０５に表示する。制御部１０４は、入力された個数分、食器２０の非接触タグ型ＩＤデバイスの情報を読み取りが成功した場合、ブザー部１１０からブザーを鳴らして報知するようにしてもよい。あるいは、制御部１０４は、食器２０の非接触タグ型ＩＤデバイスの情報を読み取った毎に、ブザー部１１０からブザーを鳴らして報知するようにしてもよい。
【００２７】
制御部１０４は、送信指示キーが押された場合、非接触タグ型ＩＤデバイスの情報を読み取った食器２０の個数、読み取った食器２０毎の非接触タグ型ＩＤデバイスの情報、及び記憶部１０６に記憶されている自ハンディターミナル１０の識別情報を関連づけて、管理装置６０に送信する。制御部１０４は、管理装置６０からの応答である会計用の伝票番号をアンテナ１０８、受信部１０９を介して受信する。制御部１０４は、会計用の伝票番号を受信したことを、表示部１０５に表示する。
制御部１０４は、プリント指示キーが押された場合、送信部１０７、アンテナ１０８を介して、携帯プリンタ３０に会計用の伝票番号を送信して、携帯プリンタ３０に会計用の伝票番号をプリントさせる。
【００２８】
表示部１０５は、例えば液晶表示装置であり、制御部１０４が出力した食器２０の個数、店員により押されたキーに対応する文字、会計用の伝票番号の受信を示す情報等を表示する。
記憶部１０６には、自ハンディターミナル１０の識別情報が予め記憶されている。記憶部１０６には、制御部１０４により食器２０の非接触タグ型ＩＤデバイスの情報、及び会計用の伝票番号が関連づけられて記憶される。
【００２９】
送信部１０７は、制御部１０４が出力した食器２０の個数、食器２０毎の非接触タグ型ＩＤデバイスの情報、識別情報を関連づけて、アンテナ１０８を介して管理装置６０へ送信する。送信部１０７は、制御部１０４が出力した会計用の伝票番号を、アンテナ１０８を介して携帯プリンタ３０へ送信する。
アンテナ１０８は、ハンディターミナル１０と無線中継機４０との間の通信、およびハンディターミナル１０と携帯プリンタ３０との間の通信に用いられる。
受信部１０９は、アンテナ１０８を介して管理装置６０から受信した会計用の伝票番号を、制御部１０４に出力する。
ブザー部１１０は、制御部１０４の制御によりブザー音を再生する。
【００３０】
次に、食器２０に取り付けられている回路部２００について説明する。本実施形態に係る回路部２００は、電池を備えている。
図４は、本実施形態に係る食器２０に取り付けられている回路部２００のブロック図である。図４に示すように、回路部２００は、無線アンテナ２０１、無線回路部２０２、制御部２０３、記憶部２０４、報知制御部２０５、報知部２０６、電源制御部２０７、電池２０８を備えている。なお、無線回路部２０２、制御部２０３、記憶部２０４は、バス２０９を介して接続されている。
【００３１】
無線アンテナ２０１は、ハンディターミナル１０と通信を行うアンテナである。無線アンテナ２０１は、例えば、ダイポールアンテナ、ループアンテナ等である。
無線回路部２０２は、無線アンテナ２０１を介して受信した搬送波からコマンドを抽出し、抽出したコマンドを制御部２０３に出力する。無線回路部２０２は、受信した搬送波を整流して直流電流を生成する。受信した搬送波を整流して直流電流するため、例えば、無線アンテナ２０１と無線回路部２０２とでレクテナ（ｒｅｃｔｅｎｎａ）回路を構成するようにしてもよい。無線回路部２０２は、生成した直流電流を、電源制御部２０７に供給する。無線回路部２０２は、搬送波を生成する。無線回路部２０２は、制御部２０３が出力した非接触タグ型ＩＤデバイスの情報を、生成した搬送波に重畳して無線アンテナ２０１を介してハンディターミナル１０へ送信する。
【００３２】
制御部２０３は、無線回路部２０２が抽出したコマンドに「読み取りコマンド」が含まれている場合、記憶部２０４に記憶されている非接触タグ型ＩＤデバイスの情報を読み取る。制御部２０３は、読み取った非接触タグ型ＩＤデバイスの情報を無線回路部２０２に出力する。
制御部２０３は、無線回路部２０２が抽出したコマンドに「報知切り替えコマンド」が含まれている場合、「報知切り替えコマンド」に基づいて切り替え信号を生成し、生成した切り替え信号を報知制御部２０５に出力する。
【００３３】
図５は、本実施形態に係る回路部２００の記憶部２０４に記憶されている非接触タグ型ＩＤデバイスの情報の一例を説明する図である。記憶部２０４には、図５に示すように、食器２０の識別情報、食器２０の種類を示す情報、及びその他の付加情報を含む非接触タグ型ＩＤデバイスの情報が記憶されている。その他の付加情報とは、例えば、食器２０に商品が載せられた時刻を示す情報等である。
【００３４】
図４に戻って、報知部２０６が例えばＬＥＤの場合、報知制御部２０５は、制御部２０３が出力した切り替え信号に基づいて、報知部２０６を点灯または消灯するように制御する。または、報知部２０６が、例えば２色ＬＥＤの場合、報知制御部２０５は、制御部２０３が出力した切り替え信号に基づいて、ＬＥＤの点灯する色が変化するように制御する。
報知部２０６は、報知制御部２０５の制御に応じて、点灯または消灯する。本実施形態では、報知部２０６は、例えば２色ＬＥＤである。
【００３５】
電源制御部２０７は、無線回路部２０２が生成した直流電流を、制御部２０３、及び記憶部２０４に供給する。
電池２０８は、例えばボタン型の小型電池である。電池２０８は、直流電流を報知制御部２０５、及び報知部２０６に供給する。
【００３６】
図６は、本実施形態に係る報知制御部２０５の一例を説明する図である。図６に示すように、報知制御部２０５は、駆動回路２１０を含んで構成されている。駆動回路２１０は、例えばトランジスタである。駆動回路２１０には、制御部２０３が出力した切り替え信号が入力される。駆動回路２１０は、切り替え信号によりオン状態またはオフ状態に切り替わる。この切り替えに応じて、報知部２０６は、電流が流れて点灯状態と消灯状態とが切り替わる。具体的には、駆動回路２１０がオン状態で報知部２０６が点灯状態となり、駆動回路２１０がオフ状態で報知部２０６が消灯状態となる。なお、報知部２０６がＬＥＤの場合、電流を制御するための抵抗が接続されているが、図６では省略して表している。
【００３７】
以上、説明したように、本実施形態の情報読み取りシステム１は、非接触タグ型ＩＤデバイスの情報を読み取る読取装置（ハンディターミナル１０）と、非接触タグ型ＩＤデバイスが取り付けられている対象物（食器２０）と、を備え、対象物は、読取装置により非接触タグ型ＩＤデバイスから情報が読み取られたか否かを報知する報知部２０６を備えている。
【００３８】
図７は、ハンディターミナル１０または初期化装置８０から送信されるコマンドのフォーマットを説明する図である。図７に示すように、ハンディターミナル１０または初期化装置８０から送信されるコマンドは、送信先情報Ｃ１、及びコマンド本体Ｃ２を含んで構成されている。
送信先情報Ｃ１は、コマンド本体Ｃ２の送信対象を表している。送信先情報Ｃ１において、「食器識別情報」は、「対象食器の識別情報」、または「ＡＬＬ」である。
送信先情報Ｃ１が「対象食器の識別情報」に設定されている場合は、指定した識別情報を有する食器２０に向けて、コマンド本体Ｃ２を送信することを表している。なお、「食器識別情報」には、複数の食器２０の識別情報を記述するようにしてもよい。
また、送信先情報Ｃ１が「ＡＬＬ」に設定されている場合は、全ての食器２０に向けて、コマンド本体Ｃ２を送信することを表している。「ＡＬＬ」は、例えばＦＦＦＦ（全てのビットが１）である。
コマンド本体Ｃ２は、例えば、「読み取りコマンド」、「ＬＥＤ  ＯＮコマンド」、「ＬＥＤ  ＯＦＦコマンド」等である。
【００３９】
ここで、ハンディターミナル１０から送信するコマンドの一例を説明する。なお、以下の説明では、送信されるコマンドを、コマンド『送信先情報Ｃ１、コマンド本体Ｃ２』と記載する。
例えば、食器２０の非接触タグ型ＩＤデバイスの情報を読み取る場合、各食器２０の識別情報が未取得のため、ハンディターミナル１０は、全ての食器２０にコマンド本体Ｃ２を送信する。この場合、ハンディターミナル１０は、コマンド『「ＡＬＬ」、「読み取りコマンド」』を送信する。
また、食器２０の識別情報を取得後、全ての食器２０に取り付けられている報知部２０６のＬＥＤを消灯させる場合、ハンディターミナル１０は、コマンド『「ＡＬＬ」、「ＬＥＤ  ＯＦＦコマンド」』を送信する。
また、食器２０の識別情報を取得後、識別情報を読み取った個別の食器２０のＬＥＤを点灯させる場合、ハンディターミナル１０は、コマンド『「対象食器の識別情報」、「ＬＥＤ  ＯＮコマンド」』を送信する。
【００４０】
次に、ハンディターミナル１０と食器２０に取り付けられている回路部２００が行う処理について説明する。
図８は、本実施形態に係るハンディターミナル１０と食器２０に取り付けられている回路部２００との間で行う処理のシーケンス図である。なお、ハンディターミナル１０が、食器２０の非接触タグ型ＩＤデバイスの情報を読み取る前、報知部２０６は赤色に点灯している。
【００４１】
（ステップＳ１）ハンディターミナル１０の制御部１０４は、食器２０に取り付けられている回路部２００（以下、便宜上、食器２０に取り付けられている回路部２００を含めて、食器２０という）に対して、コマンド『「ＡＬＬ」、「読み取りコマンド」』を送信する。
（ステップＳ２）食器２０に取り付けられている回路部２００の制御部２０３（以下、食器２０の制御部２０３という）は、ハンディターミナル１０からのコマンドを受信する。次に、制御部２０３は、受信したコマンドから送信先情報Ｃ１を抽出し、設定されている送信対象の判別（以下、「Ｔｏ」の判別という）を行う。具体的には、制御部２０３は、食器識別情報が自識別情報であるか、または「ＡＬＬ」であるか判別する。
【００４２】
（ステップＳ３）送信先情報Ｃ１が自識別情報または「ＡＬＬ」である場合、食器２０の制御部２０３は、受信したコマンドからコマンド本体Ｃ２を抽出する。制御部２０３は、抽出したコマンド本体Ｃ２の種類を判別する。
【００４３】
（ステップＳ４）ステップＳ３で、受信したコマンド本体Ｃ２が「読み取りコマンド」の場合、食器２０の制御部２０３は、記憶部２０４に記憶されている非接触タグ型ＩＤデバイスの情報（食器２０の識別情報、食器２０の種類を示す情報、及びその他の付加情報）を読み取る。
（ステップＳ５）食器２０の制御部２０３は、読み取った非接触タグ型ＩＤデバイスの情報を、ハンディターミナル１０に送信する。
【００４４】
（ステップＳ６）ハンディターミナル１０の制御部１０４は、食器２０からの非接触タグ型ＩＤデバイスの情報を受信する。次に、制御部１０４は、受信した非接触タグ型ＩＤデバイスの情報に含まれるデータを検査する。
【００４５】
図９は、食器２０の制御部２０３が送信したデータの構成の一例を説明する図である。図９に示すように、食器２０の制御部２０３が送信したデータには、先頭部（ＳＴＸ）から始まり終端部（ＥＴＸ）で終わるデータ部ｄ１と、データ部ｄ１の先頭部（ＳＴＸ）から終端部（ＥＴＸ）までの和であるＳＵＭ部ｄ２を含んで構成されている。
図８に戻って、制御部１０４は、例えば、受信した非接触タグ型ＩＤデバイスの情報に含まれるデータ部ｄ１の先頭部（ＳＴＸ）から終端部（ＥＴＸ）までの和を算出し、算出した和とＳＵＭ部ｄ２の値とを比較する。制御部１０４は、値が一致する場合、受信したデータが正常であると判別する。
【００４６】
検査した結果、データが正常であると判別した場合、制御部１０４は、受信した情報に含まれる識別情報がすでに記憶部１０６に記憶されているか否かを判別する。受信した情報に含まれる識別情報が、まだ記憶部１０６に記憶されていないと判別した場合、制御部１０４は、受信した非接触タグ型ＩＤデバイスの情報を、記憶部１０６に記憶する。
一方、受信した情報に含まれる識別情報が、記憶部１０６に記憶されている判別した場合、制御部１０４は、ステップＳ６を繰り返し、他の識別情報を有する食器２０からの非接触タグ型ＩＤデバイスの情報を受信する。
【００４７】
（ステップＳ７）ハンディターミナル１０の制御部１０４は、非接触タグ型ＩＤデバイスの情報の読み取りが完了したため、ステップＳ６で受信した識別情報を有する食器２０に青ＬＥＤの点灯を指示するコマンド本体Ｃ２「青ＬＥＤ  ＯＮコマンド」を送信する。すなわち、制御部１０４は、コマンド『「対象食器の識別情報」、「青ＬＥＤ  ＯＮコマンド」』を送信する。
【００４８】
（ステップＳ８）食器２０の制御部２０３は、ハンディターミナル１０からのコマンドを受信する。次に、制御部２０３は、受信したコマンドから送信先情報Ｃ１を抽出し、「Ｔｏ」の判別を行う。
（ステップＳ９）食器識別情報が自識別情報または「ＡＬＬ」である場合、食器２０の制御部２０３は、受信したコマンドからコマンド本体Ｃ２を抽出し、抽出したコマンド本体Ｃ２の種類を判別する。
（ステップＳ１０）食器２０の制御部２０３は、受信したコマンド本体Ｃ２が「青ＬＥＤ  ＯＮコマンド」の場合、報知部２０６を青色に点灯するように制御する。
（ステップＳ１１）食器２０の制御部２０３は、報知部２０６を青色に点灯させた後、コマンドを実行したことを示す情報「ＯＫ」を、ハンディターミナル１０に送信する。なお、制御部２０３は、コマンドを実行したことを示す情報として、例えば、肯定応答であるＡＣＫ（ＡＣＫｎｏｗｌｅｄｇｅｍｅｎｔ）信号を、ハンディターミナル１０に送信するようにしてもよい。
【００４９】
なお、ステップＳ１〜Ｓ１１では、ハンディターミナル１０が、食器２０の非接触タグ型ＩＤデバイスの情報を読み取る前に、報知部２０６を赤色に点灯させておく例を説明したがこれに限られない。例えば、食器２０の非接触タグ型ＩＤデバイスの情報を読み取る前に、報知部２０６を消灯させておき、ハンディターミナル１０からのコマンドに応じて、報知部２０６を点灯させるようにしてもよい。この場合、ハンディターミナル１０の制御部１０４は、ステップＳ７（図８）において、ＬＥＤの点灯を指示するコマンド本体Ｃ２「ＬＥＤ  ＯＮコマンド」を、食器２０に送信する。食器２０の制御部２０３は、受信したコマンドに応じて、ＬＥＤを点灯させるようにしてもよい（ステップＳ１０、図８）。
あるいは、食器２０の非接触タグ型ＩＤデバイスの情報を読み取る前に、報知部２０６を点灯させておき、ハンディターミナル１０からのコマンドに応じて、報知部２０６を消灯させるようにしてもよい。この場合、ハンディターミナル１０の制御部１０４は、ステップＳ７（図８）において、ＬＥＤの消灯を指示するコマンド本体Ｃ２「ＬＥＤ  ＯＦＦコマンド」を、食器２０に送信する。食器２０の制御部２０３は、受信したコマンドに応じて、ＬＥＤを消灯させるようにしてもよい（ステップＳ１０、図８）。
【００５０】
次に、ハンディターミナル１０による食器２０からの非接触タグ型ＩＤデバイスの情報の読み取り処理について説明する。図１０は、本実施形態に係るハンディターミナル１０の制御部１０４が行う処理のフローチャートである。なお、図１０に示した例では、非接触タグ型ＩＤデバイスの情報が読み取り前、食器２０の報知部２０６は消灯し、非接触タグ型ＩＤデバイスの情報が読み取り後、食器２０の報知部２０６は点灯する例について説明する。
【００５１】
（ステップＳ１０１）ハンディターミナル１０の制御部１０４は、入力部１０１のスキャン指示キーが押された後、食器２０の個数のカウントに用いるカウンタに０を代入する。
（ステップＳ１０２）制御部１０４は、非接触タグ型ＩＤデバイスの情報の読み取りが完了した食器２０の個数をカウントし、カウント数を表示部１０５に表示する。
（ステップＳ１０３）制御部１０４は、入力部１０１の終了キーが押されたか否かを判別する。制御部１０４は、終了キーが押されたと判別した場合（ステップＳ１０３；Ｙｅｓ）、ステップＳ１０４に移行し、終了キーが押されていないと判別した場合（ステップＳ１０３；Ｎｏ）、ステップＳ１０５に移行する。
【００５２】
（ステップＳ１０４）終了キーが押されたと判別した場合、制御部１０４は、食器２０の合計個数を確定（食器スキャンデータ確定）して、非接触タグ型ＩＤデバイスの情報の読み取り処理を終了する。
（ステップＳ１０５）終了キーが押されていないと判別した場合、制御部１０４は、入力部１０１のキャンセルキーが押されたか否かを判別する。制御部１０４は、キャンセルキーが押されたと判別した場合（ステップＳ１０５；Ｙｅｓ）、ステップＳ１０６に移行し、キャンセルキーが押されていないと判別した場合（ステップＳ１０５；Ｎｏ）、ステップＳ１０７に移行する。
【００５３】
（ステップＳ１０６）キャンセルキーが押されたと判別した場合、制御部１０４は、すでに読み取って記憶部１０６に記憶させた非接触タグ型ＩＤデバイスの情報を破棄（食器スキャンデータ破棄）し、非接触タグ型ＩＤデバイスの情報の読み取り処理を終了する。
（ステップＳ１０７）キャンセルキーが押されていない判別した場合、制御部１０４は、食器２０にコマンド『「ＡＬＬ」、「読み取りコマンド」』を送信する。
【００５４】
（ステップＳ１０８）制御部１０４は、受信した非接触タグ型ＩＤデバイスの情報に含まれるデータをステップＳ６（図８）と同様に検査し、検査した結果に基づいて受信が成功したか否かを判別する。制御部１０４は、受信が成功したと判別した場合（ステップＳ１０８；Ｙｅｓ）、ステップＳ１０９に移行し、受信が成功していないと判別した場合（ステップＳ１０８；Ｎｏ）、ステップＳ１１０に移行する。
（ステップＳ１０９）受信が成功したと判別した場合、制御部１０４は、受信した非接触タグ型ＩＤデバイスの情報に含まれている識別情報を抽出する。制御部１０４は、抽出した識別情報を有する食器２０へコマンド『「対象食器の識別情報」、「青ＬＥＤ  ＯＮコマンド」』を送信する。
【００５５】
（ステップＳ１１０）受信が成功していないと判別した場合、またはコマンドを食器２０に送信後、制御部１０４は、読み込んだ非接触タグ型ＩＤデバイスの情報に含まれる識別情報（食器ＩＤ）が既読か否かを判別する。具体的には、制御部１０４は、受信した非接触タグ型ＩＤデバイスの情報から識別情報を抽出し、抽出した識別情報が、すでに記憶部１０６に記憶されているか否かを確認する。制御部１０４は、すでに記憶部１０６に同じ識別情報が記憶されている場合、既読であると判別し、同じ識別情報が未記録の場合、既読ではないと判別する。
識別情報が既読であると判別した場合（ステップＳ１１０；Ｙｅｓ）、制御部１０４は、読み取った非接触タグ型ＩＤデバイスの情報を記憶部１０６に記憶せず、ステップＳ１０３に移行する。
識別情報が既読ではない判別した場合（ステップＳ１１０；Ｎｏ）、制御部１０４は、読み取った非接触タグ型ＩＤデバイスの情報を記憶部１０６に記憶し、ステップＳ１１１に移行する。
【００５６】
（ステップＳ１１１）読み込んだ識別情報が既読ではない判別した場合、制御部１０４は、ブザー部１１０からブザーを再生する。例えば、ハンディターミナル１０は、食器２０の非接触タグ型ＩＤデバイスから情報を読み取る毎に、ブザー部１１０から「ピッ」という音を発生する。
制御部１０４は、ステップＳ１１１終了後、ステップＳ１０２に戻り、終了キーが押されるまで、ステップＳ１０２からＳ１１１の処理を繰り返す。
なお、本実施形態では、ステップＳ１０９でＬＥＤを青色に発光させる例を説明したが、発光させるＬＥＤの色は赤色であってもよい。
【００５７】
次に、食器２０に取り付けられている回路部２００の制御部２０３が行う処理について説明する。
図１１は、本実施形態に係る制御部２０３が行う処理のフローチャートである。なお、図１１に示した例では、非接触タグ型ＩＤデバイスの情報が読み取り前、食器２０の報知部２０６は消灯し、非接触タグ型ＩＤデバイスの情報が読み取り後、食器２０の報知部２０６は点灯する。
【００５８】
（ステップＳ２０１）制御部２０３は、ハンディターミナル１０が、無線アンテナ２０１の受信が可能な範囲にある場合、受信した搬送波から生成した直流電流を用いて、各部の動作を開始する。次に、制御部２０３は、報知部２０６の点灯状態、及びコマンドの受信状態を示すフラグ等を初期化する。
（ステップＳ２０２）制御部２０３は、初期化に応じて、報知制御部２０５を介して、報知部２０６を消灯させる（ＬＥＤ  ＯＦＦ）。
【００５９】
（ステップＳ２０３）制御部２０３は、ハンディターミナル１０からコマンドを受信したか否かを判別する。制御部２０３は、コマンドを受信していないと判別した場合（ステップＳ２０３；Ｎｏ）、ステップＳ２０３を繰り返し、コマンドを受信したと判別した場合（ステップＳ２０３；Ｙｅｓ）、ステップＳ２０４に移行する。
（ステップＳ２０４）制御部２０３は、受信したコマンドから送信先情報Ｃ１を抽出し、食器識別情報が自識別情報であるか、または「ＡＬＬ」であるかの「Ｔｏ」の判別を行う。
【００６０】
（ステップＳ２０５）食器識別情報が自識別情報または「ＡＬＬ」であると判別した場合、制御部２０３は、受信したコマンド本体Ｃ２が「ＬＥＤ  ＯＮコマンド」であるか否かを判別する。制御部２０３は、受信したコマンド本体Ｃ２が「ＬＥＤ  ＯＮコマンド」であると判別した場合（ステップＳ２０５；Ｙｅｓ）、ステップＳ２０６に移行し、受信したコマンド本体Ｃ２が「ＬＥＤ  ＯＮコマンド」ではないと判別した場合（ステップＳ２０５；Ｎｏ）、ステップＳ２０７に移行する。
【００６１】
（ステップＳ２０６）受信したコマンド本体Ｃ２が「ＬＥＤ  ＯＮコマンド」であると判別した場合、制御部２０３は、報知部２０６を点灯させる（ＬＥＤ  ＯＮ）。制御部２０３は、報知部２０６の点灯後、ステップＳ２０３に移行する。
（ステップＳ２０７）受信したコマンド本体Ｃ２が「ＬＥＤ  ＯＮコマンド」ではないと判別した場合、制御部２０３は、受信したコマンド本体Ｃ２が「ＬＥＤ  ＯＦＦコマンド」であるか否かを判別する。制御部２０３は、受信したコマンド本体Ｃ２が「ＬＥＤ  ＯＦＦコマンド」であると判別した場合（ステップＳ２０７；Ｙｅｓ）、ステップＳ２０８に移行し、受信したコマンド本体Ｃ２が「ＬＥＤ  ＯＦＦコマンド」ではないと判別した場合（ステップＳ２０７；Ｎｏ）、ステップＳ２０９に移行する。
【００６２】
（ステップＳ２０８）受信したコマンド本体Ｃ２が「ＬＥＤ  ＯＦＦコマンド」であると判別した場合、制御部２０３は、報知部２０６を消灯させる。制御部２０３は、報知部２０６の消灯後、ステップＳ２０３に移行する。
（ステップＳ２０９）受信したコマンド本体Ｃ２が「ＬＥＤ  ＯＦＦコマンド」ではないと判別した場合、制御部２０３は、「その他のコマンド」に応じた処理（以下、その他のコマンド処理という）を行う。その他のコマンド処理後、制御部２０３は、ステップＳ２０３に移行する。なお、「その他のコマンド」は、例えば、非接触タグ型ＩＤデバイスへの情報の追記を指示するコマンド、非接触タグ型ＩＤデバイスを読み取ったことを示す情報を非接触タグ型ＩＤデバイスに書き込むことを指示するコマンド、食器２０に不図示のブザーがある場合にブザーを鳴らす又はブザーを鳴らさない等を指示するコマンドである。
【００６３】
次に、報知部２０６の報知状態の初期化について説明する。
図１２は、本実施形態に係る初期化装置８０による報知部２０６の報知状態の初期化のシーケンス図である。
【００６４】
（ステップＳ３０１）初期化装置８０の制御部８２は、食器２０へ、赤色ＬＥＤの点灯を指示するコマンド『「ＡＬＬ」、「赤ＬＥＤ  ＯＮコマンド」』を送信する。
（ステップＳ３０２）食器２０の制御部２０３は、初期化装置８０からコマンドを受信し、受信したコマンドから送信先情報Ｃ１を抽出する。制御部２０３は、抽出した送信先情報Ｃ１に対して「Ｔｏ」の判別を行う。
（ステップＳ３０３）食器識別情報が自識別情報または「ＡＬＬ」である場合、食器２０の制御部２０３は、受信したコマンドからコマンド本体Ｃ２を抽出し、抽出したコマンド本体Ｃ２の種類を判別する。
【００６５】
（ステップＳ３０４）食器２０の制御部２０３は、受信した「赤ＬＥＤ  ＯＮコマンド」に応じて、報知部２０６を赤色に点灯するように制御する。
（ステップＳ３０５）食器２０の制御部２０３は、報知部２０６を点灯させた後、コマンドを実行したことを示す情報「ＯＫ」を、初期化装置８０へ送信する。
【００６６】
なお、図１２において、食器２０の非接触タグ型ＩＤデバイスの情報を読み取る前に、報知部２０６を消灯させておき、ハンディターミナル１０からのコマンドに応じて、報知部２０６を点灯させてもよい。その場合、初期化装置８０の制御部８２は、ステップＳ３０１において、食器２０にコマンド『「ＡＬＬ」、「ＬＥＤ  ＯＦＦコマンド」』を送信する。食器２０の制御部２０３は、受信したコマンドに応じて、ＬＥＤを消灯させる（ステップＳ３０４）。
【００６７】
以上のように、本実施形態によれば、ハンディターミナル１０が、食器２０に取り付けられている回路部２００に記憶されている非接触タグ型ＩＤデバイスの情報を読み取った後、食器２０は、報知部２０６であるＬＥＤの表示色を赤色から青色に切り替えるようにした。この結果、複数の食器２０を重ねて読み取る場合、または順番に読み取る場合に、非接触タグ型ＩＤデバイスの情報を読み取れなかった食器２０のＬＥＤのみが赤色である。このＬＥＤの検知により、店員は、再度、食器２０に対して非接触タグ型ＩＤデバイスの情報を読み取ることで、複数の食器２０の非接触タグ型ＩＤデバイスの情報の読み取り抜けを軽減することができる。
また、報知部２０６の点灯状態は、例えば食器２０の洗浄装置等に取り付けられている初期化装置８０からのコマンドに応じて、食器２０の回路部２００は、報知部２０６の点灯状態を青色から赤色に切り替えることで初期化する。この処理により、再びハンディターミナル１０で読み取る前に、読み取りが完了していない状態である報知部２０６が赤色の点灯になっている状態にすることができる。
【００６８】
なお、本実施形態では、ハンディターミナル１０または初期化装置８０が、赤色ＬＥＤ  をオン状態にするコマンド、青色ＬＥＤをオン状態にするコマンドを送信する例を説明したが、これに限ったものではない。例えば、ハンディターミナル１０または初期化装置８０は、ＬＥＤ点灯状態切り替えを切り替えるコマンドを、食器２０の回路部２００に送信するようにしてもよい。
【００６９】
（第２実施形態）
第１実施形態では、食器２０に取り付けられている回路部２００が、電池を備えている例を説明した。本実施形態では、回路部２００ａが、充電式の電池を備えている例を説明する。なお、情報読み取りシステムの構成は、第１実施形態の図１と同様であり、食器２０に取り付けられている回路部２００ａの構成のみが異なる。
【００７０】
次に、食器２０に取り付けられている回路部２００ａについて説明する。
図１３は、本実施形態に係る食器２０に取り付けられている回路部２００ａのブロック図である。図１３に示すように、回路部２００ａは、無線アンテナ２０１、無線回路部２０２、制御部２０３、記憶部２０４、報知制御部２０５ａ、報知部２０６、電源制御部２０７ａ、充電制御回路部（電源部）２２０、バッテリ部（電源部）２２１、及び外部Ｉ／Ｆ（インタフェース）部２２２を備えている。無線回路部２０２、制御部２０３、記憶部２０４は、バス２０９を介して接続されている。なお、図４で説明した回路部２００と同様の機能を有する機能部は、同じ符号を用いて説明を省略する。
【００７１】
報知制御部２０５ａは、制御部２０３が出力した切り替え信号に基づいて、報知部２０６がＬＥＤの場合、報知部２０６を点灯または消灯するように制御する。報知制御部２０５ａは、電源制御部２０７ａから電流が供給される。
報知部２０６には、バッテリ部２２１に充電されている電流が供給される。報知部２０６は、例えばＬＥＤである。
【００７２】
電源制御部２０７ａは、無線回路部２０２が生成した直流電流を、制御部２０３、記憶部２０４、及び充電制御回路部２２０に供給する。電源制御部２０７ａは、バッテリ部２２１に充電された電力を、充電制御回路部２２０を介して、報知制御部２０５ａ、及び報知部２０６に供給する。
【００７３】
充電制御回路部２２０は、電源制御部２０７ａから供給された電流を用いて、バッテリ部２２１の充電を制御する。
バッテリ部２２１は、充電可能な二次電池である。
【００７４】
外部Ｉ／Ｆ部２２２は、例えば、外部から報知制御部２０５ａに初期設定を送信し、記憶部２０４に記憶されているデータを書き換えるためのデータを受信する。外部Ｉ／Ｆ部２２２は、受信したデータを報知制御部２０５ａに出力する。また、外部Ｉ／Ｆ部２２２は、報知制御部２０５ａが出力した送信データを、例えば、自部に接続されているケーブルを介して、外部に出力する。
【００７５】
すなわち、本実施形態では、第１実施形態の構成に加え、読取装置（ハンディターミナル１０）からの搬送波に基づく電流を用いて、充電可能な電源部（充電制御回路部２２０、バッテリ部２２１）を備え、報知部２０６は、電源部に充電されている電力を用いて、自部を駆動する。
【００７６】
次に、食器２０の回路部２００ａの状態遷移について説明する。
図１４は、本実施形態に係る回路部２００ａの状態遷移図である。図１４において、丸で囲んだ符号３０１〜３０３は、状態（以下、状態３０１、３０２、３０３という）を表し、矢印３１１〜３１６は、遷移を表している。なお、図１４は、ハンディターミナル１０の読み取りが完了する前は報知部２０６が消灯し、読み取りが完了した後に報知部２０６が点灯する例の状態遷移図である。また、報知部２０６は、ＬＥＤであるとして、ＬＥＤ２０６と称して説明する。
【００７７】
状態３０１は、無線アンテナ２０１の交信可能な範囲に、通信相手であるハンディターミナル１０が存在していない状態である。状態３０１では、回路部２００ａの各部の動作は停止し、報知部２０６は消灯している。なお、無線アンテナ２０１の交信可能な範囲とは、回路部２００が情報を受信でき、搬送波から直流電流を生成できる範囲である。
【００７８】
無線アンテナ２０１の交信可能な範囲に、ハンディターミナル１０が存在している状態の場合、矢印３１１に示したように、状態３０１は状態３０２に遷移する。この状態において、回路部２００ａは、受信した搬送波から直流電流を生成し、生成した直流電流を、各部に供給開始する。また回路部２００ａは、生成した直流電流を用いてバッテリ部２２１への充電を開始する。
【００７９】
状態３０２は、各部に直流電流が供給され、かつ無線アンテナ２０１の交信可能な範囲に、ハンディターミナル１０が存在している状態である。状態３０１から状態３０２へ遷移してきた場合、回路部２００ａの制御部２０３は、各部の初期化を行い、ＬＥＤ２０６を消灯するように制御する。状態３０２は、回路部２００ａが、ハンディターミナル１０からのコマンドを受け付ける状態である。
【００８０】
状態３０２において、ハンディターミナル１０からのコマンドが、「ＬＥＤ  ＯＮコマンド」の場合、矢印３１２に示したように、制御部２０３は、ＬＥＤ２０６を点灯（ＯＮ）するように制御する。
状態３０２において、ハンディターミナル１０からのコマンドが、「ＬＥＤ  ＯＦＦコマンド」の場合、矢印３１３に示したように、制御部２０３は、ＬＥＤ２０６を消灯（ＯＦＦ）するように制御する。
状態３０２において、ハンディターミナル１０からのコマンドが、「その他のコマンド」の場合、矢印３１４に示したように、制御部２０３は、ハンディターミナル１０からのコマンドに応答するように制御する。
【００８１】
無線アンテナ２０１を含む回路部２００ａが、無線アンテナ２０１の交信可能な範囲外になった場合、矢印３１５に示したように、状態３０２は、状態３０３に遷移する。
【００８２】
状態３０３は、各部に直流電流が供給されている状態、かつ無線アンテナ２０１の交信可能な範囲に、ハンディターミナル１０が存在していない状態である。状態３０３では、バッテリ部２２１に充電されている電流が、報知制御部２０５ａ、及びＬＥＤ２０６に供給される。また、状態３０２でＬＥＤ２０６が点灯状態のまま、状態３０３に遷移してきた場合、バッテリ部２２１から供給されている直流電流により、ＬＥＤ２０６の点灯が継続している。
状態３０３において、ＬＥＤ２０６の点灯が継続している場合、ＬＥＤ２０６の点灯によりバッテリ部２２１に充電されていた電流は放電されるため、矢印３１６に示したように状態３０３は、状態３０１に遷移する。
一方、状態３０３において、ＬＥＤ２０６が消灯している場合、かつ無線アンテナ２０１を含む回路部２００ａが、無線アンテナ２０１の交信可能な範囲内になった場合、矢印３１７に示したように、状態３０３は状態３０２に遷移する。
【００８３】
図１４の状態遷移図で説明したように、ハンディターミナル１０が、食器２０に近づけられて、食器２０の非接触タグ型ＩＤデバイスが読み取られた場合、ＬＥＤ２０６の点灯が開始される。そして、ハンディターミナル１０が食器２０との交信が可能な範囲になった後でも、バッテリ部２２１に充電された直流電流を用いて、所定の時間、ＬＥＤ２０６の点灯を保持している。
所定の時間とは、例えば、店員が、複数の食器２０の非接触タグ型ＩＤデバイスの情報を読み取らせ、全ての食器２０の非接触タグ型ＩＤデバイスの情報を読み込めたか否かを確認できる期間以上の時間である。
【００８４】
次に、ハンディターミナル１０と食器２０が行う処理について説明する。なお、以下の処理では、報知部２０６がＬＥＤである場合を説明する。
図１５は、本実施形態に係るハンディターミナル１０と食器２０との間で行う処理のシーケンス図である。なお、ハンディターミナル１０が、食器２０から非接触タグ型ＩＤデバイスの情報を読み取る前、報知部２０６は消灯している。
【００８５】
（ステップＳ４０１〜Ｓ４０６）ステップＳ４０１〜Ｓ４０６は、第１実施形態のステップＳ１〜Ｓ６（図８）と同様に行う。
（ステップＳ４０７）ハンディターミナル１０の制御部１０４は、非接触タグ型ＩＤデバイスの情報の読み取りが完了したため、食器２０に報知部２０６をオン状態にするコマンド『「ＡＬＬ」、「ＬＥＤ  ＯＮコマンド」』を送信する。
【００８６】
（ステップＳ４０８）食器２０の制御部２０３は、ハンディターミナル１０からのコマンドを受信する。次に、制御部２０３は、受信したコマンドから送信先情報Ｃ１を抽出し、抽出した送信先情報Ｃ１に対して「Ｔｏ」の判別を行う。
（ステップＳ４０９）食器識別情報が自識別情報または「ＡＬＬ」である場合、食器２０の制御部２０３は、受信したコマンドからコマンド本体Ｃ２を抽出し、抽出したコマンド本体Ｃ２の種類を判別する。
（ステップＳ４１０）食器２０の制御部２０３は、コマンド本体Ｃ２が「ＬＥＤ  ＯＮコマンド」の場合、報知部２０６を点灯するように制御する。
（ステップＳ４１１）食器２０の制御部２０３は、報知部２０６を点灯させた後、コマンドを実行したことを示す情報「ＯＫ」を、ハンディターミナル１０に送信する。
【００８７】
本実施形態では、報知部２０６に充電式のバッテリ部２２１から電流を供給しているため、所定の時間が経過すれば、バッテリ部２２１に充電されていた電流は放電される。このため、第１実施形態で説明した初期化装置８０による初期化作業は行っても、行わなくてもよい。初期化作業を行う場合、初期化装置８０の制御部８２は、ステップＳ３０１（図１２）において、コマンド『「ＡＬＬ」、「ＬＥＤ  ＯＦＦコマンド」』を、食器２０に送信する。食器２０の制御部２０３は、受信したコマンドに応じて、報知部２０６を消灯させる（ステップＳ３０４、図１２）。
【００８８】
以上のように、本実施形態では、食器２０に取り付けられている回路部２００ａが充電式のバッテリ部２２１を備えるようにした。このため、店員がハンディターミナル１０で食器の非接触タグ型ＩＤデバイスの情報を読み取り、読み取れているか否かの状態を確認する期間、報知部２０６の点灯状態を保持することができる。この結果、非接触タグ型ＩＤデバイスの情報を読み取れなかった食器２０のＬＥＤ（報知部２０６）のみが赤色で点灯しているため、店員は、再度、食器２０に対して非接触タグ型ＩＤデバイスの情報を読み取ることで、複数の食器２０の非接触タグ型ＩＤデバイスの情報の読み取り抜けを軽減できる。
【００８９】
なお、本実施形態では、ハンディターミナル１０の制御部１０４は、食器２０の報知部２０６の状態を、非接触タグ型ＩＤデバイスの情報を読み取る前に消灯、読み取った後に点灯させる例を説明したが、これに限られない。第１実施形態と同様に、回路部２００ａは、ハンディターミナル１０が送信するコマンドによって、非接触タグ型ＩＤデバイスの情報を読み取る前に赤色を点灯、読み取った後に青色を点灯させるように制御してもよい。
【００９０】
なお、第１〜第２実施形態において、非接触タグ型ＩＤデバイスの情報の読み取り前後で、報知部２０６の点灯色を変える例を説明したがこれに限られない。例えば、非接触タグ型ＩＤデバイスの情報の読み取り前後で、報知部２０６の点滅状態を変えるように回路部２００（含む、回路部２００ａ）が制御するようにしてもよい。なお、点滅状態とは、例えば、一定周期で点滅させる状態、光の強度を一定周期で変化させる状態などである。
【００９１】
なお、第１〜第２実施形態において、店員が、食器に取り付けられている回路部２００（含む２００ａ）の非接触タグ型ＩＤデバイスの情報を読み取るタイミングは、カフェテリアのような店舗において、食事前であっても食事後であってもよい。
【００９２】
なお、第１〜第２実施形態において、非接触タグ型ＩＤデバイスの情報を読み取る読取装置の例として、ハンディターミナル１０を用いる例を説明したが、これに限られない。例えば、図３に示したような構成を、ＰＯＳレジスタ７０前のカウンターに取り付け、または埋め込んでおくようにしてもよい。この場合、例えば、ＰＯＳレジスタ７０の前で、顧客が、自分で選択した食器２０を、読取装置の機能を備えるカウンターの上にかざすことで、顧客に非接触タグ型ＩＤデバイスの情報を、読取装置に読み取らせるようにしてもよい。
【００９３】
なお、第１〜第２実施形態では、報知部２０６が食器２０に取り付けられ、回路部２００と線材等で接続されている例を説明したが、報知部２０６は回路部２００と一体に形成されているようにしてもよい。
【００９４】
なお、第１〜第２実施形態では、食器２０は、カフェテリアで用いられる飲食用の食器を例に説明したが、例えば、焼き肉、バイキングなどの飲食店、社員食堂、および学生食堂などで用いられる食器であってもよい。また、回路部２００（含む、回路部２００ａ、報知部２０６）は、容器などに取り付けられていてもよい。あるいは、回路部２００（含む、回路部２００ａ、報知部２０６）は、顧客が商品を自分でカゴに入れてレジへ持って行くような雑貨店などで用いるカゴなどに取り付けられていてもよい。または、製品タグ、製品ラベル、製品カード等に取り付けられていてもよい。
あるいは、回路部２００（含む、回路部２００ａ、報知部２０６）は、倉庫や工場などのパレット、製品タグ、製品ラベル、製品カード等に取り付けられていてもよい。
あるいは、定期券やクレジットカード、会員カード等に非接触タグ型ＩＤデバイスを取り付けたＩＣカード、このようなＩＣカード（含むＩＣチップ）が取り付けられている携帯電話や携帯端末等に、本実施形態の回路部２００（含む、回路部２００ａ、報知部２０６）を適用するようにしてもよい。
すなわち、第１〜第２実施形態で説明した回路部２００（含む、回路部２００ａ、報知部２０６）は、ハンディターミナル１０で読み取られるものである。このため、回路部２００（含む、回路部２００ａ、報知部２０６）が取り付けられる対象物は、食器、容器、製品タグ、製品ラベル、製品カード、クレジットカード、定期券、ポイントカード、会員証、社員証等であってもよい。そして、ハンディターミナル１０が、商品等に取り付けられている回路部２００（含む、回路部２００ａ、報知部２０６）の非接触タグ型ＩＤデバイスを読み取った後、回路部２００（含む、回路部２００ａ）は、報知部２０６の表示状態が変化するように制御してもよい。
このような用途であっても、非接触タグ型ＩＤデバイスを読み取るとき、読み取り装置であるハンディターミナル１０を操作する人は、本実施形態の構成により、非接触タグ型ＩＤデバイスを正しく読み取れているか否かを報知部２０６の表示状態の変化により知ることが可能になる。
この結果、レジで会計を済ませているか否かの確認、在庫の確認、予約による取り置きなどに使用することができ、店舗において、適切な会計を行え、在庫数を管理しやすくなる効果もある。
【００９５】
なお、本実施形態の図３、図４、および図１３の機能の全て、もしくは一部を、図示しないＣＰＵ（中央演算装置）に接続されたＲＯＭ（Ｒｅａｄ  Ｏｎｌｙ  Ｍｅｍｏｒｙ）等に保存されているプログラムにより実行することも可能である。
【符号の説明】
【００９６】
１…情報読み取りシステム、１０、１０ａ、１０ｂ…ハンディターミナル、２０、２０ａ…食器、３０、３０ａ、３０ｂ…携帯プリンタ、４０…無線中継機、５０…ネットワーク、６０…管理装置、７０…ＰＯＳレジスタ、８０…初期化装置、８１…無線アンテナ、８２…制御部、１０１…入力部、１０２…無線アンテナ、１０３…無線回路部、１０４…制御部、１０５…表示部、１０６…記憶部、１０７…送信部、１０８…アンテナ、１０９…受信部、１１０…ブザー部、２００、２００ａ…回路部、２０１…無線アンテナ、２０２…無線回路部、２０３…制御部、２０４…記憶部、２０５、２０５ａ…報知制御部、２０６…報知部、２０７、２０７ａ…電源制御部、２０８…電池、２０９…バス、２１０…駆動回路、２２０…充電制御回路部、２２１…バッテリ部、２２２…外部Ｉ／Ｆ部、３０１〜３０６…状態、Ｃ１…送信先情報、Ｃ２…コマンド本体、ｄ１…データ部、ｄ２…ＳＵＭ部
【図１】
2013196183.tif 000003
【図２】
2013196183.tif 000004
【図３】
2013196183.tif 000005
【図４】
2013196183.tif 000006
【図５】
2013196183.tif 000007
【図６】
2013196183.tif 000008
【図７】
2013196183.tif 000009
【図８】
2013196183.tif 000010
【図９】
2013196183.tif 000011
【図１０】
2013196183.tif 000012
【図１１】
2013196183.tif 000013
【図１２】
2013196183.tif 000014
【図１３】
2013196183.tif 000015
【図１４】
2013196183.tif 000016
【図１５】
2013196183.tif 000017